(57)【要約】【課題】従来のキャップの位置決め容器は、部品点数が多く、かつ、その組み立ての手間も要した。また、キャップ回動時のクリック感が不安定で、製品の品質にばらつきが生じ易かったという点の解決を課題とする。【解決手段】合成樹脂で成形されるキャップ７を、内外二重の周壁を有するものとし、内周壁９にねじ突条１０を設けると共に、その末端位置に係止突起１２を有する弾性片１１を一体形成した。また、容器本体１には、ねじ部３が設けられた口部２の外周に、上記係止突起１２が乗り越える乗り越えリブ５を縦方向に設けた。【選択図】　図１
2004042947.tif 000002
【特許請求の範囲】
【請求項１】
口部外周に形成されたねじ部の末端近傍位置の下方に、縦方向に乗り越えリブが設けられたガラス製の容器本体と、
内外二重の周壁を有し、内側の周壁の内壁面に上記ねじ部と係合するねじ突条が設けられると共に、このねじ突条の末端位置に、係止突起を有する弾性片が周壁に一体形成された合成樹脂製のキャップとからなり、
キャップの締め付け終端位置において、キャップに設けられた係止突起が容器本体に設けられた乗り越えリブを乗り越え、キャップが容器本体に対する所定の回動位置で係止されるようになされたことを特徴とするキャップの位置決め容器。
【発明の詳細な説明】
【０００１】
【発明の属する技術分野】
本発明は、化粧品や食品などを収容する容器に関し、詳しくは、キャップを所定の位置に係止させて位置合せができると共に、位置合せされたキャップが勝手に戻ることのないようにした位置決め容器に関する。
【０００２】
【従来の技術】
従来、この種の位置決め容器としては、実公昭５４−２２５１４号や実公昭５７−４６２８７号に示されるものがあった。
【０００３】
上記実公昭５４−２２５１４号に示された容器は、図４の分解斜視図の通り、口部２１に連続した肩部２２に突起部２３が設けられた容器体２０と、裏面に前記口部２１に螺合する筒部２５が垂設されたキャップ２４と、下端に前記突起部２３と係合する嵌合用凹部２８を有する弾性片２７が設けられ、前記キャップ２４内に回動不可に装着される断面略コ字形の弾性部材２６とからなり、キャップ２４の締め付け終端位置において、弾性部材２６下端の弾性片２７が、容器本体２０に設けられた突起部２３と接して押され、嵌合用凹部２８が設けられた位置で容器本体２０の突起部２３と係合することにより、現状に復帰し、このことでクリック感を伴ってキャップ２４が所定の位置で係止されるようにしたものである。
【０００４】
また、実公昭５７−４６２８７号に示された容器は、図５の一部断面図の通り、外蓋３６、内蓋３７からなる二重構造のキャップ３５内に、突出部３９が内蓋３７の内方に出没可能に突出するようにバネ性を有する押圧体３８を内装し、一方、このキャップ３５が螺合する容器本体３０の口部３１には、ねじ部３２の末端近傍に二個の係止突起３３，３４を設け、キャップ３５の締め付け終端位置において、突出部３９が前記一方の係止突起３４を乗り越え、他方の係止突起３３との間に嵌まり込むことにより、キャップ３５がクリック感を伴って所定の位置で係止されるようにしたものである。
【０００５】
【発明が解決しようとする課題】
上述した従来のキャップの位置決め容器のうち、図４に示したものは、容器本体の肩部に設けられた突起部でキャップの回動位置決めを行うようにしているが、容器本体がガラス瓶の場合、肩部の正確な位置に正確な寸法で突起部を形成することが困難であった。そのため、キャップ回動時のクリック感が不安定で、製品の品質にばらつきが生じ易く、場合によっては、キャップの係止状態が緩く、不用意にキャップが戻るというおそれもあった。また、瓶口を塞ぐキャップとは別に弾性部材を要するので、部品点数が増えると共に、その組み立ての手間も要するという問題点があった。
【０００６】
また、図５に示したものは、押圧体をキャップ内に収納するために、キャップを外蓋と内蓋からなる二重構造にしなくてはならず、これも部品点数が多く、かつ、その組み立ての手間も要するのでコスト高になるという問題点があった。
【０００７】
本発明は、上記従来のキャップの位置決め容器が有していた問題点の解決を課題とする。
【０００８】
【課題を解決するための手段】
上記の課題を解決するために、本発明では、キャップの位置決め容器を、口部外周に形成されたねじ部の末端近傍位置の下方に、縦方向に乗り越えリブが設けられたガラス製の容器本体と、内外二重の周壁を有し、内側の周壁の内壁面に上記ねじ部と係合するねじ突条が設けられると共に、このねじ突条の末端位置に、係止突起を有する弾性片が周壁に一体形成された合成樹脂製のキャップとで構成し、キャップの締め付け終端位置において、キャップに設けられた係止突起が容器本体に設けられた乗り越えリブを乗り越え、キャップが容器本体に対する所定の回動位置で係止されるようにしたことを特徴とする。
【０００９】
【発明の実施の形態】
以下、本発明を図示した実施の形態に基づき詳細に説明する。
【００１０】
図１は、本発明に係る容器の実施形態を示した分解斜視図である。図において符号１は、ガラスで角筒形に形成された容器本体を示し、この容器本体１の肩部４上には、外周にねじ部３が形成された口部２が設けられている。
【００１１】
また、７は、上記容器本体１の口部２に螺合するキャップを示し、このキャップ７は、容器本体１の外形とほぼ等しい形状の外周壁８と、この外周壁８の内側に設けられた筒形の内周壁９とからなる二重構造に合成樹脂で形成されている。そして、この内周壁９の内壁面には、容器本体１の口部２に設けられたねじ部３と螺合するねじ突条１０が、設けられている。
【００１２】
なお、図１において符号６は、キャップ７の裏面に装着されるシールパッキンを示す。
【００１３】
ここにおいて本発明の位置決め容器では、上記容器本体１の口部２に設けられたねじ部３の末端（図１において下端）近傍位置において、その下方に、ねじの谷部３ａを縦方向に塞ぐように乗り越えリブ５を設けている。
【００１４】
また、キャップ７のねじ突条１０が設けられた内周壁９には、このねじ突条１０の末端位置（図１において下端位置）を略コ字形に切り欠くようにして弾性片１１を形成すると共に、この弾性片１１の表面に、前記ねじ突条１０の末端に連続する位置に係止突起１２を設けている。
【００１５】
なお、上記キャップ７は、従来公知の三つ割と称される割型コアからなる金型を用いて形成されるものである。従って、内壁面９に形成されるねじ突条１０は、連続しておらず、複数に分割された形態となっている。
【００１６】
本発明のキャップの位置決め容器は上記の構成を有している。
【００１７】
次に、キャップを位置決めする際の各部の働きについて述べると、まず、容器本体１の口部２にキャップ７を被せ、ねじを締め込む方向（通常右回転）に回転させると、キャップ７の内周に設けられたねじ突条１０が、容器本体１の口部２に設けられたねじ部３と係合し、このねじ部３で案内されて下方へと移動する。この時、キャップ７の内周に設けられたねじ突条１０は、複数に分割された形態となっているが、それぞれがねじの延長線上に位置し、かつ、中心対称に設けられているので、その機能は通常のねじと何ら変わるところはない。
【００１８】
やがて、キャップ７の締め付け終端位置の近傍でキャップ７に設けられた係止突起１２が、ねじ部３の末端近傍位置に設けられた乗り越えリブ５と接する。この時、本発明の容器では、係止突起１２が内周壁９の一部で形成された弾性片１１の表面に設けられているので、この状態からキャップ７をさらに締め込むと、この弾性片１１が外方（外周壁側）へと撓み、係止突起１２が乗り越えリブ５を乗り越え、その位置で弾性片１１が自身の弾性復元力で現状に復帰することにより、キャップ７はスナップ感を伴って図２並びに図３に示された係止状態になり、不用意に緩まないように係止されるものである。また、この時、キャップ８は、その側面が容器本体の側面と一致するように、位置決めされるようになっている。従って、キャップ７が係止位置まで閉め込まれていない場合には、外部から一目でその状態が分かるようになっている。
【００１９】
また、キャップ７を外すには、上記と全く反対にキャップ７を緩める方向に回転させれば良く、このことで、まず最初に弾性片１１が撓んで係止突起１２が乗り越えリブ５を乗り越え、その係止状態が解除されるので、その後は、通常の容器と同様にキャップ７を緩める方向に回し、容器本体１の口部２から取り除けば良い。
【００２０】
以上のようにして本発明のキャップの位置決め容器では、キャップ７がスナップ感を伴って係止、および係止解除され、また、円筒形以外の容器であってもキャップ７が容器本体１に対して位置合せをした状態で係止されるものである。
【００２１】
なお、図示した実施の形態では、容器として角筒状のものを例示したが、本発明のキャップの位置決め容器では、キャップ７が容器本体１に対して所定の回動位置で位置合せをされるように、両者の平面形状が同じであれば良く、例えば、その平面形状が楕円形や多角形、あるいは瓢箪形やアーチ形などの異形のものであっても良い。
【００２２】
また、図示した実施の形態では、弾性片１１として、ねじ突条１０の末端位置の周壁をコ字形に切り欠いた形状のものを例示したが、この弾性片１１は、内周壁９の一部で形成されていれば良く、例えば、内周壁９を上向きコ字形や下向きコ字形などに切り欠いて形成されたものであっても良い。
【００２３】
【発明の効果】
以上説明したように、本発明のキャップの位置決め容器では、二重の周壁を有するキャップのねじ突条の末端位置に、係止突起を有する弾性片を周壁を利用して形成しているので、キャップを合成樹脂で一体成形することができ、その組み立ての手間が不要になることと相まってコストダウンがはかられる。また、この弾性片には、無理な力が作用しないので、作動が確実で、確実な操作感が得られると共に、繰り返し使用にも耐える耐久性が得られる。さらに、容器本体に設けられる乗り越えリブは、口部の外周に設けることとしたので、ガラス瓶であっても高い寸法精度でこの乗り越えリブを形成することができ、キャップの係止および解除時に安定したクリック感が得られるという効果もある。
【図面の簡単な説明】
【図１】本発明に係るキャップの位置決め容器の実施形態を示した分解斜視図である。
【図２】キャップ係止状態の要部拡大断面図である。
【図３】図２のＡ−Ａ線の断面図である。
【図４】従来例の一部切欠分解斜視図である。
【図５】他の従来例を示した一部断面図である。
【符号の説明】
１　容器本体
２　口部
３　ねじ部
３ａ　谷部
４　肩部
５　乗り越えリブ
６　シールパッキン
７　キャップ
８　外周壁
９　内周壁
１０　ねじ突条
１１　弾性片
１２　係止突起
【図１】
2004042947.tif 000003
【図２】
2004042947.tif 000004
【図３】
2004042947.tif 000005
【図４】
2004042947.tif 000006
【図５】
2004042947.tif 000007